(57)【要約】【課題】  泥等を含む雨水であっても効率よく路盤に浸透させることができ、水はけがよいブロック舗装方法、舗装用ブロック及びブロック舗装用強化板を提供すること。【解決手段】透水性を有する路盤を形成する路盤形成工程と、この路盤形成工程で形成した路盤の上部に複数個の舗装用ブロックを敷設する舗装用ブロック敷設工程とを含むブロック舗装方法であって、前記舗装用ブロックは、その側面に雨水導入口を有する導水部が形成されるとともに、該導水部に連通するように該舗装用ブロックの底面に雨水排出部が形成され、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。【選択図】  図１
2020125654.tif 000002
【特許請求の範囲】
【請求項１】
透水性を有する路盤を形成する路盤形成工程と、この路盤形成工程で形成した路盤の上部に複数個の舗装用ブロックを敷設する舗装用ブロック敷設工程とを含むブロック舗装方法であって、前記舗装用ブロックは、その側面に雨水導入口を有する導水部が形成されるとともに、該導水部に連通するように該舗装用ブロックの底面に雨水排出部が形成され、降雨時、前記複数の舗装用ブロックの隣り合う側面の目地部内に雨水に含まれる泥を沈殿させ、一方、前記目地部内の雨水の上澄みを前記導水部の雨水導入口から取り入れるブロック舗装方法。
【請求項２】
前記舗装用ブロック敷設工程において、前記複数個の舗装用ブロックの間には、ベース板と該ベース板に略垂直に立設された板状の目地板とからなるブロック舗装用強化板が設けられ、前記目地板は、前記導水部の雨水導入口から雨水の上澄みの取り入れを妨げないように設けられていることを特徴とする請求項１に記載のブロック舗装方法。
【請求項３】
透水性を有する路盤を形成する路盤形成工程と、この路盤形成工程で形成した路盤の上部に、ブロック舗装用強化板を介して複数個の舗装用ブロックを敷設する舗装用ブロック敷設工程とを含むブロック舗装方法であって、前記ブロック舗装用強化板は、ベース板と、該ベース板に略垂直に立設された板状の目地板とで構成されており、
前記舗装用ブロックは、その側面上端部側から下端に至るまでの雨水導入口を有する導水部が形成されるとともに、該導水部に連通するように前記舗装用ブロックの底面に雨水排出部が形成され、前記導水部の雨水導入口は、前記ブロック舗装用強化板の目地板により下部付近が塞がれ、降雨時、前記複数の舗装用ブロックの隣り合う側面の目地部内に雨水に含まれる泥を沈殿させ、一方、前記目地部内の雨水の上澄みを前記導水部の雨水導入口から取り入れるブロック舗装方法。
【請求項４】
透水性を有する路盤を形成する路盤形成工程と、この路盤形成工程で形成した路盤の上部にブロック舗装用強化板を介して複数個の舗装用ブロックを敷設する舗装用ブロック敷設工程とを含むブロック舗装方法であって、
前記ブロック舗装用強化板は、ベース板と、該ベース板に略垂直に立設された板状の目地板とで構成され、前記目地板の上端部付近に雨水導入口を有する導水部と、該導水部に連通するように前記ベース板の底面に形成された雨水排出部とを有し、前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れるブロック舗装方法。
【請求項５】
透水性を有する路盤に目地部を介して敷設される舗装用ブロックであって、前記舗装用ブロックは、その側面に雨水導入口を有する導水部が形成されるとともに、該導水部に連通するように前記舗装用ブロックの底面に雨水排出部が形成され、
前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れる舗装用ブロック。
【請求項６】
透水性を有する路盤に舗装用ブロックが敷設される際に用いられるベース板と該ベース板に略垂直に立設された板状の目地板とからなるブロック舗装用強化板であって、前記ブロック舗装用強化板は、目地板の上端部付近に雨水導入口を有する導水部と、該導水部に連通するように前記ベース板の底面に形成された雨水排出部とを有し、
前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れるブロック舗装用強化板。
【発明の詳細な説明】
【技術分野】
【０００１】
本発明は道路等を舗装するブロック舗装方法、舗装用ブロック及びブロック舗装用強化板に関する。
【背景技術】
【０００２】
従来、強化板を用いたブロック舗装方法等としては、「路盤層本体を形成した後、該路盤層本体の上部に透水シートを敷設し、その上にサンドクッション層を形成した路盤層を形成する路盤形成工程と、この路盤形成工程後に路盤のサンドクッション層の上部に、格子状に縦目地部と横目地部が形成でき、かつ底面に複数個の導水溝および、該導水溝の少なくとも一部の端部に導水溝より深い取水口を形成された多数個の天然石平板を、該天然石平板の取水口をふさぐことのない部位に位置する縦目地板および横目地板が立設された舗装用強化板を角部に配置しながら敷設する天然石平板の敷設工程とからなることを特徴とする天然石平板を用いた透水性舗装方法」が知られている（特許文献１）。
【０００３】
しかしながら、ブロック舗装方法等では、舗装用ブロックの間の目地部に雨水が流れ込んだ際に、取水口から雨水及びこの雨水に含まれる泥までが導水溝に入り込み、雨水に含まれる泥等が比重の関係で導水溝の底部に泥がたまってしまい、雨水が路盤に浸透しづらくなって、水はけが悪くなるという欠点があった。
【先行技術文献】
【特許文献】
【０００４】
【特許文献１】特許第５３４６７９４号公報
【発明の概要】
【発明が解決しようとする課題】
【０００５】
本発明は以上のような従来の欠点に鑑み、泥等を含む雨水であっても効率よく路盤に浸透させることができ、水はけがよいブロック舗装方法、舗装用ブロック及びブロック舗装用強化板を提供することを目的としている。
【課題を解決するための手段】
【０００６】
上記目的を達成するために、請求項１に記載されたブロック舗装方法は、透水性を有する路盤を形成する路盤形成工程と、この路盤形成工程で形成した路盤の上部に複数個の舗装用ブロックを敷設する舗装用ブロック敷設工程とを含むブロック舗装方法であって、前記舗装用ブロックは、その側面に雨水導入口を有する導水部が形成されるとともに、該導水部に連通するように該舗装用ブロックの底面に雨水排出部が形成され、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。
【０００７】
請求項２に記載されたブロック舗装方法は、前記舗装用ブロック敷設工程において、前記複数個の舗装用ブロックの間には、ベース板と該ベース板に略垂直に立設された板状の目地板とからなるブロック舗装用強化板が設けられ、前記目地板は、前記導水部の雨水導入口から雨水の上澄みの取り入れを妨げないように設けられていることを特徴とする。
【０００８】
請求項３に記載されたブロック舗装方法は、透水性を有する路盤を形成する路盤形成工程と、この路盤形成工程で形成した路盤の上部に、ブロック舗装用強化板を介して複数個の舗装用ブロックを敷設する舗装用ブロック敷設工程とを含むブロック舗装方法であって、前記ブロック舗装用強化板は、ベース板と、該ベース板に略垂直に立設された板状の目地板とで構成されており、前記舗装用ブロックは、その側面上端部側から下端に至るまでの雨水導入口を有する導水部が形成されるとともに、該導水部に連通するように前記舗装用ブロックの底面に雨水排出部が形成され、前記導水部の雨水導入口は、前記ブロック舗装用強化板の目地板により下部付近が塞がれ、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。
【０００９】
請求項４に記載されたブロック舗装方法は、透水性を有する路盤を形成する路盤形成工程と、この路盤形成工程で形成した路盤の上部にブロック舗装用強化板を介して複数個の舗装用ブロックを敷設する舗装用ブロック敷設工程とを含むブロック舗装方法であって、前記ブロック舗装用強化板は、ベース板と、該ベース板に略垂直に立設された板状の目地板とで構成され、前記目地板の上端部付近に雨水導入口を有する導水部と、該導水部に連通するように前記ベース板の底面に形成された雨水排出部とを有し、前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。
【００１０】
請求項５に記載された舗装用ブロックは、透水性を有する路盤に目地部を介して敷設される舗装用ブロックであって、前記舗装用ブロックは、その側面に雨水導入口を有する導水部が形成されるとともに、該導水部に連通するように前記舗装用ブロックの底面に雨水排出部が形成され、前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。
【００１１】
請求項６に記載されたブロック舗装用強化板は、透水性を有する路盤に舗装用ブロックが敷設される際に用いられるベース板と該ベース板に略垂直に立設された板状の目地板とからなるブロック舗装用強化板であって、前記ブロック舗装用強化板は、目地板の上端部付近に雨水導入口を有する導水部と、該導水部に連通するように前記ベース板の底面に形成された雨水排出部とを有し、前記導水部は、降雨時、前記複数の舗装用ブロックの隣り合う側面の目地部内に雨水に含まれる泥を沈殿させ、一方、前記目地部内の雨水の上澄みを前記導水部の雨水導入口から取り入れることを特徴とする。
【発明の効果】
【００１２】
以上の説明から明らかなように、本発明にあっては次に列挙する効果が得られる。
（１）請求項１乃至請求項６に記載された各発明においては、舗装用ブロックや舗装用強化板に形成された導水部が、降雨時に雨水に含まれる泥を目地部内に沈殿させて、雨水の上澄みを前記導水部から取り入れられる高さに設けられているので、雨水を上方から路盤へ排出することができる。
したがって、雨水に含まれる泥に水分の浸透を阻害されることなく、確実に排水することができる。
【図面の簡単な説明】
【００１３】
図１乃至図８は本発明の第１の実施形態を示す説明図である。
図９乃至図１３は本発明の第２の実施形態を示す説明図である。
図１４乃至図１７は本発明の第３の実施形態を示す説明図である。
図１８乃至図２２は本発明の第４の実施形態を示す説明図である。
図２３乃至図２５は本発明の第５の実施形態を示す説明図である。
図２６乃至図２８は本発明の第６の実施形態を示す説明図である。
【図１】第１実施形態のブロック舗装方法の工程図。
【図２】路盤形成工程の説明図。
【図３】ブロック敷設工程の説明図。
【図４】ブロック舗装用強化板の斜視図。
【図５】第１実施形態の舗装用ブロックの斜視図。
【図６】図５の６−６線断面図。
【図７】舗装用ブロックで敷設した状態の平面図。
【図８】泥を含んだ雨水が流れ込む状態を示す概略断面図。
【図９】第２実施形態のブロック舗装方法の工程図。
【図１０】第２実施形態の舗装用ブロックの斜視図。
【図１１】図１０の１１−１１線断面図。
【図１２】舗装用ブロックを敷設した状態の概略断面図。
【図１３】泥を含んだ雨水が流れ込む状態を示す概略断面図。
【図１４】第３実施形態のブロック舗装方法の工程図。
【図１５】第３実施形態のブロック舗装用強化板の斜視図。
【図１６】図１５の１６−１６線断面図。
【図１７】泥を含んだ雨水が流れ込む状態を示す概略断面図。
【図１８】第４実施形態のブロック舗装方法の工程図。
【図１９】第４実施形態の舗装用ブロックの斜視図。
【図２０】図１９の２０−２０線断面図。
【図２１】第４実施形態のブロック舗装用強化板の斜視図。
【図２２】図２１の２２−２２線断面図。
【図２３】第５実施形態のブロック舗装方法の工程図。
【図２４】第５実施形態の舗装用ブロックの斜視図。
【図２５】図２４の２５−２５線断面図。
【図２６】第６実施形態のブロック舗装方法の工程図。
【図２７】第６実施形態の舗装用ブロックの斜視図。
【図２８】図２７の２８−２８線断面図。
【発明を実施するための形態】
【００１４】
以下、図面に示す本発明を実施するための形態により、本発明を詳細に説明する。
図１乃至図８に示す本発明を実施するための第１の形態において、１は道路等を舗装する際に用いられるブロック舗装方法である。
【００１５】
このブロック舗装方法１は、図１に示すように、フィルター層２の上部に路盤層３を形成するとともに、この路盤層３の上部にサンドクッション層４を形成して路盤５を形成する路盤形成工程６と、この路盤形成工程６後に、この路盤５のサンドクッション層４の上部にベース板７と目地板８を有するブロック舗装用強化板９を介して舗装用ブロック１０を敷設するブロック敷設工程１１とで構成されている。
【００１６】
路盤形成工程６では、図２に示すように、フィルター層２の上部に路盤層３とサンドクッション層４とで路盤５を形成する工程で、形成される路盤層３は、本実施形態においては、インターロッキングブロック舗装の際に用いられる岩石または玉石をクラッシャで割っただけで篩い分けをしていない砕石（クラッシャラン）を用いて形成される。
【００１７】
この路盤層３の上部に形成されるサンドクッション層４は、主にブロック舗装用敷砂により形成されており、このサンドクッション層４と路盤層３との間に透水性シート等を設けてもよい。このように透水性を有する路盤を形成する。
【００１８】
ブロック敷設工程１１は、本実施形態においては、図３に示すように、このサンドクッション層４の上部に複数個のブロック舗装用強化板９を用いて透水性を有するインターロッキングブロックや平板等の舗装用ブロック１０を複数個敷設する工程である。
【００１９】
このブロック舗装用強化板９は、図４に示すように、サンドクッション層４の上面に載置され、舗装用ブロック１０がその上面に載置される略矩形板状のベース板７と、このベース板７の上面に立設された単数又は複数個の目地板８とからなっており、従来から使用されているものである。舗装用ブロック１０は、このブロック舗装用強化板９の目地板８を介してベース板７の左右にそれぞれ載置されて敷設される。
【００２０】
ところで、本実施形態では、目地板８は、平面視十字状の中央目地板８ａと、この中央目地板８ａの延長線上に配置された複数個の平面視長方形状の端部目地板８ｂとで構成されており、舗装用ブロック１０はこれらの目地板８に周囲が当接する状態で設けられる。
このベース板７は、本実施形態においては、略矩形状に形成されているが、平板状でサンドクッション層４の上面に載置でき、このベース板７の上面に舗装用ブロック１０を載置できるものであれば、任意の形状とすることができる。
【００２１】
また、このベース板７の上面に滑り止め等の加工を施してもよい。
本実施形態の目地板８は、この目地板８の中央目地板８ａが位置決め部となっており、この部位に舗装用ブロック１０の底面側の角部を当接させ、端部目地板８ｂに舗装用ブロック１０の外周部を当接させることにより、隣り合う舗装用ブロック１０間の目地部１２の幅を所定の幅にすることができる。
【００２２】
なお、本実施形態では、舗装用ブロック１０は路盤５の上部に載置されている状態で設けられ、特に路盤５等に固定状態で設けられていない。このように載置状態でも受けることにより、目地部１２に泥１７が沈殿し、蓄積した場合に、舗装用ブロック１０を持ち上げて一時的に除去し、目地部１２に蓄積した泥１７を除去することができる。
【００２３】
舗装用ブロック１０は、図５及び図６に示すように、本実施形態では、透水性を有さない天然石を用い、例えば縦・横・高さ寸法が３００ｍｍラ３００ｍｍラ６０ｍｍの略直方体状に形成された板材で、その側面の上部付近に孔状の導水部１３が形成され、底部にはこの導水部１３と連通する雨水排出部１４が形成されている。
【００２４】
この導水部１３は、降雨時に雨水に含まれる泥１７を目地部１２内に沈殿させて、雨水の上澄み１８を取り入れられる高さに設けられている。本実施形態では、舗装用ブロック１０の高さ方向の中央部よりも上方に雨水導入口１３ａが形成されている。
【００２５】
導水部１３は、本実施形態では、断面円形状の孔で、この導水部１３が舗装用ブロック１０の側面から斜め方向に舗装用ブロック１０の内部を貫通し、底面に形成されている雨水排出部１４に連通している。
【００２６】
雨水排出部１４は、本実施形態では、平面視（底面視）略円形状の凹所で、この雨水排出部１４の上面に導水部１３の他端部が連通している。
【００２７】
ところで、この導水部１３や雨水排出部１４は１つの舗装用ブロック１０に対して１つのみ形成してもよいし、複数個形成してもよい。
【００２８】
降雨時に泥１７を含んだ雨水がこの舗装用ブロック１０の間に流れ込んだ場合、図７に示すように、泥１７が目地部１２の下部付近に沈殿し、この雨水のうち、上澄み１８の水分のみが雨水導入口１３ａから取り入れられ、導水部１３を通過して雨水排出部１４へ流れ、雨水排出部１４から透水性を有する路盤５へと雨水の上澄み１８の水分のみが排出される。
【００２９】
このように、雨水に泥１７が含まれていても、泥１７と水分（上澄み１８）を分離して排出することができ、泥１７による水分（上澄み１８）の路盤５への浸透を阻害されることがない。そのため、等を含む雨水であっても効率よく路盤５に浸透させることができ、水はけを向上させることができる。
【００３０】
［発明を実施するための異なる形態］
次に、図９乃至図２８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３１】
図９乃至図１３に示す本発明を実施するための第２の形態において、前記本発明を実施するための第１の形態と主に異なる点は、その側面に下端部が前記舗装用ブロックの下端部まで達するいわゆるラッパ口状の導水部１３Ａ（雨水導入口１３ａ）が形成され、該導水部１３Ａに連通するように、底面に左右方向に延在する雨水排出部１４Ａが形成された舗装用ブロック１０Ａを用い、この舗装用ブロック１０Ａの導水部１３Ａの下部付近をブロック舗装用強化板９の目地板８により塞ぎ、導水部１３Ａの雨水の上澄みを取り入れられる高さの部位のみを開口状態としたブロック舗装工程１１Ａを行うブロック舗装方法１Ａにした点で、このような構成にしても前記本発明を実施するための第１の形態と同様な作用効果が得られる。
【００３２】
本実施形態では、端部目地板８ｂにより導水部１３Ａの下部を塞いでおり、この端部目地板８ｂの高さを、前記導水部１３Ａの雨水導入口１３ａから雨水の上澄みを取り入れられる高さとなるように形成している。
【００３３】
図１４乃至図１７に示す本発明を実施するための第３の形態において、前記本発明を実施するための第１の形態と主に異なる点は、目地板８ｂの上端部付近、本実施形態では上面に形成された雨水導入口１３ａを有する導水部１３Ｂと、この導水部１３Ｂに連通するようにベース板７の底面に形成された雨水排出部１４Ｂとを有したブロック舗装用強化板９Ａを用いてブロック敷設工程１１Ｂを行うブロック舗装方法１Ｂにした点で、このような構成にしても前記本発明を実施するための第１の形態と同様な作用効果が得られる。
【００３４】
なお、本実施形態では、導水部や雨水排出部を有しない舗装用ブロック１０Ｂを用いているが、他の実施形態に用いられている導水部や雨水排出部を有する舗装用ブロック１０を用いてもよい。
【００３５】
本実施形態のブロック舗装用強化板９Ａは、目地板の上部の両端部付近に傾斜面１５が形成されており、この傾斜面１５にも導水部１３Ｂの雨水導入口１３ａが形成されている。このように形成することにより、より効率よく雨水を雨水排出部１４Ｂから排出することができる。なお、傾斜面１５は必ずしも設けなくてもよい。
【００３６】
図１８乃至図２２に示す本発明を実施するための第４の形態において、前記本発明を実施するための第１の形態と主に異なる点は、略水平又は若干下方へ傾斜した導水部１３Ｃと、略垂直に穿孔され、かつ、導水部１３Ｃに上端部付近の外周部分が連通した雨水排出部１４Ｃを有する舗装用ブロック１１Ｃとし、この舗装用ブロック１１Ｃを用いてブロック敷設工程１１Ｃを行うブロック舗装方法１Ｃにした点で、このような構成にしても前記本発明を実施するための第１の形態と同様な作用効果が得られる。
【００３７】
また、本実施形態では、目地板８の上端部付近の側面に雨水導入口１３ａを有する導水部１３Ｂが形成されたブロック舗装用強化板９Ｂを用いている。
【００３８】
図２３乃至図２５に示す本発明を実施するための第５の形態において、前記本発明を実施するための第４の形態と主に異なる点は、雨水排出部１４Ｃの下端部付近に左右方向に延在する排出溝１５を形成した舗装用ブロック１１Ｄとし、この舗装用ブロック１１Ｄを用いてブロック敷設工程１１Ｄを行うブロック舗装方法１Ｄにした点で、このような構成にしても前記本発明を実施するための第４の形態と同様な作用効果が得られるとともに、より効率よく雨水を路盤５へ排出することができる。
【００３９】
図２６乃至図２８に示す本発明を実施するための第６の形態において、前記本発明を実施するための第２の形態と主に異なる点は、舗装用ブロック１０Ａの導水部１３Ａの雨水導入口１３ａの下部付近をキャップ部材１６により塞ぎ、導水部１３Ａの雨水の上澄みを取り入れられる高さの部位のみを開口状態とした舗装用ブロック１０Ｅを用いてブロック舗装工程１１Ｅを行うブロック舗装方法１Ｅにした点で、このような構成にしても前記本発明を実施するための第２の形態と同様な作用効果が得られる。
【００４０】
なお、本発明の実施形態においては、中央目地板と端部目地板を有するブロック舗装用強化板を用いているが、例えば平面視長方形状の中央目地板のみを有するブロック舗装用強化板を用いて、舗装用ブロックの側面の中央部付近に当接するように設けてもよい。このようなブロック舗装用強化板の目地板（平面視長方形状の中央目地板）にも導水部を形成し、この導水部に連通する雨水排出部を形成することができる。
【００４１】
また、中央目地板の形状は、平面視略十字型のものについて説明したが、平面視略Ｔ字型や平面視略Ｉ字型の中央目地板を用いてもよく、このような形状の中央目地板にも導水部を形成し、この導水部に連通する雨水排出部を形成することができる。
【産業上の利用可能性】
【００４２】
本発明はブロック舗装を行う産業で利用される。
【符号の説明】
【００４３】
１、１Ａ、１Ｂ、１Ｃ、１Ｄ、１Ｅ：ブロック舗装方法、
２：フィルター層、                ３：路盤層、
４：サンドクッション層、          ５：路盤、
６：路盤形成工程、                ７：ベース板、
８：目地板、                      ９、９Ａ、９Ｂ：ブロック舗装用強化板、
１０、１０Ａ、１０Ｂ、１０Ｃ、１０Ｄ、１０Ｅ：舗装用ブロック、
１１、１１Ａ、１１Ｂ、１１Ｃ、１１Ｄ、１１Ｅ：ブロック敷設工程、
１２：目地部、                    １３、１３Ａ、１３Ｂ、１３Ｃ：導水部、
１４、１４Ａ、１４Ｂ、１４Ｃ：雨水排出部、
１５：排出溝、                    １６：キャップ部材、
１７：泥、                        １８：上澄み。
【図１】
2020125654.tif 000003
【図２】
2020125654.tif 000004
【図３】
2020125654.tif 000005
【図４】
2020125654.tif 000006
【図５】
2020125654.tif 000007
【図６】
2020125654.tif 000008
【図７】
2020125654.tif 000009
【図８】
2020125654.tif 000010
【図９】
2020125654.tif 000011
【図１０】
2020125654.tif 000012
【図１１】
2020125654.tif 000013
【図１２】
2020125654.tif 000014
【図１３】
2020125654.tif 000015
【図１４】
2020125654.tif 000016
【図１５】
2020125654.tif 000017
【図１６】
2020125654.tif 000018
【図１７】
2020125654.tif 000019
【図１８】
2020125654.tif 000020
【図１９】
2020125654.tif 000021
【図２０】
2020125654.tif 000022
【図２１】
2020125654.tif 000023
【図２２】
2020125654.tif 000024
【図２３】
2020125654.tif 000025
【図２４】
2020125654.tif 000026
【図２５】
2020125654.tif 000027
【図２６】
2020125654.tif 000028
【図２７】
2020125654.tif 000029
【図２８】
2020125654.tif 000030